(57)【要約】【課題】  構造が簡易で、天板の傾斜角度を容易に変えることができるデスクを提供する。【解決手段】  一対の脚部材２，２と、前記脚部材２の上部に固設した上板７と、該上板７の上部で、かつ、該上板７の着座者側端部を軸に回動可能に設けた天板１０と、着座者側と反対側に、前記上板７に対して起立状態と収納状態とに変化することができるように設けたフラップ部材１３とを有し、該フラップ部材１３の収納状態よりも起立状態の方が、前記天板１０の傾斜角度が増すようにし、  前記フラップ部材１３を起立状態と、収納状態の夫々において、天板１０の上板７に対する傾斜角度を保持できる保持部２２を設けた。【選択図】  図６
2015231488.tif 000002
【特許請求の範囲】
【請求項１】
一対の脚部材と、該脚部材の上部に固設した上板と、該上板の上部で、かつ、該上板の着座者側端部を軸に回動可能に設けた天板と、着座者側と反対側に、前記上板に対して起立状態と収納状態とに変化することができるように設けたフラップ部材とを有し、
該フラップ部材の収納状態よりも起立状態の方が、前記天板の傾斜角度が増すようにし、  
前記フラップ部材を起立状態と、収納状態の夫々において、天板の上板に対する傾斜角度を保持できる保持部を設けたことを特徴とするデスク。
【請求項２】
前記フラップ部材を、前記天板に、その天板に対して回動可能に設けたことを特徴とする請求項１記載のデスク。
【請求項３】
前記天板の前記上板に対する傾斜角度が、所定以上になることを抑制する抑制部を設けたことを特徴とする請求項１又は２記載のデスク。
【発明の詳細な説明】
【技術分野】
【０００１】
本発明は、デスクに関する。
【背景技術】
【０００２】
従来、天板を、これが水平に位置する状態と、着座者側が下方に位置するように傾斜した状態とに変化することができるデスクが知られている（特許文献１参照）。
【０００３】
このデスクでは、天板の下部の前後方向に設けたネジ棒を、クランクハンドルで回動させて、斜動アームの傾斜角度を変化させることにより、天板の傾斜角度を変えることができるようになっている。
【先行技術文献】
【特許文献】
【０００４】
【特許文献１】特開２０１３−５１４号公報
【発明の概要】
【発明が解決しようとする課題】
【０００５】
前記従来のデスクでは、天板の傾斜角度を変化させる機構が複雑であるとともに、その製造コストが高いという問題がある。
【０００６】
そこで、本発明は、構造が簡易で、天板の傾斜角度を容易に変えることができるデスクを提供することを目的とするものである。
【課題を解決するための手段】
【０００７】
前記の課題を解決するために、請求項１記載の発明は、一対の脚部材と、該脚部材の上部に固設した上板と、該上板の上部で、かつ、該上板の着座者側端部を軸に回動可能に設けた天板と、着座者側と反対側に、前記上板に対して起立状態と収納状態とに変化することができるように設けたフラップ部材とを有し、
該フラップ部材の収納状態よりも起立状態の方が、前記天板の傾斜角度が増すようにし、  
前記フラップ部材を起立状態と、収納状態の夫々において、天板の上板に対する傾斜角度を保持できる保持部を設けたことを特徴とするものである。
【０００８】
請求項２記載の発明は、請求項１記載の発明において、前記フラップ部材を、前記天板に、その天板に対して回動可能に設けたことを特徴とするものである。
【０００９】
請求項３記載の発明は、請求項１又は２記載の発明において、前記天板の前記上板に対する傾斜角度が、所定以上になることを抑制する抑制部を設けたことを特徴とするものである。
【発明の効果】
【００１０】
本発明によれば、上板に対して起立する状態と収納状態とに変化することができるように設けたフラップ部材を設け、このフラップ部材が収納状態よりも起立した状態の方が、上板に対する天板の傾斜角度が増すようにしたことにより、前記従来技術のデスクと比較して、天板の上板に対する傾斜角度を変える構造を簡略化することができ、製造コストを低減できる。
【図面の簡単な説明】
【００１１】
【図１】本発明の実施例１のデスクを示すもので、天板を略平行にした状態の正面図。
【図２】図１の背面図。
【図３】図１の上面図。
【図４】図１の右側面図。
【図５】図１の前側から見た斜視図。
【図６】図１の後側下方から見た斜視図。
【図７】図１のＣ−Ｃ線断面図。
【図８】図１のＤ−Ｄ線断面図。
【図９】図１の状態から天板後部を持ち上げた状態の後側上方から見た斜視図。
【図１０】図９の後側下方から見た斜視図。
【図１１】図９の背面図。
【図１２】図１１のＥ−Ｅ線断面図。
【図１３】図１の状態から、天板を所定の角度で傾斜させた状態の斜視図。
【図１４】図１３の後側下方から見た斜視図。
【図１５】図１３の背面図。
【図１６】図１５のＦ−Ｆ線断面図。
【図１７】図１５のＧ−Ｇ線断面図。
【発明を実施するための形態】
【００１２】
本発明を実施するための形態を図に示す実施例に基づいて説明する。
【００１３】
［実施例１］
図１は、実施例１のデスク１の正面図、図２はデスク１の背面図、図３はデスク１の上面図、図４はデスク１の右側面図である。以下において、デスク１の着席者側Ａを前側、着席者側と反対の側Ｂを後側、左右方向を横方向として説明する。
【００１４】
デスク１は、左右一対の脚部材２，２を有し、左右の脚部材２，２の後部間には桟２ａが架設されている。夫々の脚部材２，２の上端部には板状の側板３が固設されている。
【００１５】
左右の側板３,３の後端部間には板状の後板５が架設されている。後板５の左右両側部には、上下方向に貫通する貫通穴５ａ，５ａが形成されている。後板５の左右両側部で貫通穴５ａよりも外側に位置する上端には、図７，図９に示すように、左右方向に被係合部である係合溝５ｂが形成されている。
【００１６】
左右の側板３，３の上端部間には上板７が架設されている。図３，図６に示すように、上板７の前方中央部には上下方向に貫通する貫通穴７ａが形成されている。
【００１７】
上板７の上部には天板１０が設けられ、上板７の前端部と天板１０の前端部間が、ヒンジ９により連結されており、これにより、天板１０は前端部を中心として、天板１０の後部を上下方向に回動（開閉）できるようになっている。
【００１８】
天板１０の裏面後部には、図１０に示すように、ヒンジ１１を介してフラップ部材１３が連結され、ヒンジ１１によりフラップ部材１３が天板１０に対して起倒可能（回動可能）となっている。フラップ部材１３におけるヒンジ１１の回転軸１１ａとは反対側端部の左右には、図１０，図１７に示すように、ナット１３ａ，１３ａが埋設されている。フラップ部材１３の左右両側には持ち手部１３ｂが固設されている。図１０，図１２に示すように、フラップ部材１３におけるナット１３ａ，１３ａの外側には、係合溝５ｂと係合できる係合部１３ｃが設けられている。フラップ部材１３には、これを倒伏した場合の天板１０側面に磁石１４が固設されている。
【００１９】
天板１０の裏面後部の左右両側部には、ナット１５，１５が埋設され、ナット１５より後部には磁石１７が固設されている。フラップ部材１３は、図７，図８に示すように、天板１０に対して倒伏し、フラップ部材１３の磁石１４を天板１０の磁石１７と接合することにより、天板１０に対して倒伏した状態（天板１０が起立しない収納状態）で保持することができるようになっている。
【００２０】
天板１０の裏面の前部には凸部１８が設けられ、この凸部１８が、図６に示すように、上板７に形成した貫通穴７ａに挿通され、貫通穴７ａから突出した凸部１８に抜け止め部１８ａが固設されている。この抜け止め部１８ａにより、天板１０は、上板７に対して所定の角度(本実施例では８°)以上に傾斜しないようになっている。これら凸部１８、貫通穴７ａ、抜け止め部１８ａにより、天板１０が、上板７に対して所定の角度以上に傾斜しないように抑制する抑制部１９を構成している。
【００２１】
上板７の下部には、図示しない抽斗を出し入れ可能に取り付けることができるようになっている。
【００２２】
次に、天板１０の上板７に対する傾斜角度の変更方法について説明する。
【００２３】
図８に示すように、天板１０及び上板７に対してフラップ部材１３を倒伏してフラップ部材１３を収納状態とし、連結部材であるローレット付ネジ２０を、後板５の貫通穴５に挿通して、天板１０のナット１５に螺合することにより、図１〜８に示すように、天板１０を、上板７と略平行の状態とし、この状態を保持することができるようになっている。
【００２４】
次に、ローレット付ネジ２０と天板１０のナット１５との螺合状態を解除して、天板１０の後部を上方に持ち上げる。図１２に示すように、天板１０の後部を所定量持ち上げると、抜け止め部１８ａが上板７の裏面に当接し、天板１０の上板７に対する傾斜角度が、所定以上となることが抑制される。
【００２５】
次に、左右の持ち手部１３ｂを持って、フラップ部材１３を起立方向へ回動させると、その磁石１４と天板１０の磁石１７との接合が解除される。更に、フラップ部材１３を回動させて、図１２に示すように、フラップ部材１３を天板１０に対して起立させた後に、天板１０の後部を下降させ、図１６に示すように、フラップ部材１３の係合部１３ｃを、後板５の係合溝５ｂに係合させる。
【００２６】
次に、図１７に示すように、ローレット付ネジ２０を、後板５の貫通穴５ａに挿通して、フラップ部材１３のナット１３ａに螺合させることにより、フラップ部材１３が上板７及び天板１０に対して起立した起立状態とするとともに、天板１０を上板７に対して所定の角度(本実施例では６°)に傾斜した状態とし、その状態を保持することができる。
【００２７】
上記と逆の操作をすることにより、天板１０が上板に対して傾斜する状態から、天板１０が上板７と略平行の状態に変更することができる。
【００２８】
このように、天板１０に対して、フラップ部材１３を起倒させて、上板７に対する天板１０の傾斜角度を変えることができるようにしたことにより、その構造は、前記従来技術のデスクと比較して、簡略化することができ、その製造コストも低減することができる。
【００２９】
また、ローレット付ネジ２０を、天板１０のナット１５又はフラップ部材１３のナット１３ａに螺合することにより、天板１０を、上板７と略平行の状態と、上板７に対して後部が上方に位置するように傾斜した状態との夫々において、その状態を容易に保持することができるとともに、その保持状態を容易に解除することができる。これらローレット付ネジ２０、天板１０のナット１５、フラップ部材１３のナット１３ａにより保持部２２を構成する。
【００３０】
以上の構成により、天板１０を上板７に対して傾斜させた際には、勉強をしたり、パソコン等を操作したりする際に、頭を前方に出さなくても、机上のノートや画面等を正面から見ることができるために、首、肩、腰への負担が少ない姿勢を維持することができる、そのため、身体へのストレスが少なく、集中力を長時間持続できるとともに、猫背姿勢を防ぎ、机上の資料などへの視認性も向上し、勉強や仕事の効率を向上させることができる。
【００３１】
また、天板１０を上板７に対して傾斜させた際には、その天板上に物を置いたままの状態にしておくことが困難であるため、片づける習慣がつき、机上の散らかしを抑制できる。
【００３２】
また、天板１０を、上板７に対して傾斜する状態と、略平行の状態とに容易に変更できるために、天板１０の角度を変えることで、作業中の気分転換を図ることができる。
【００３３】
なお、天板１０を、上板７と略平行の状態か、上板７に対して後部が上方に位置するように傾斜した状態との夫々において保持することができれば、保持部の構造は前記の構造に限定されず、任意の構造を陥ることができる。
【００３４】
［その他の実施例］
前記実施例１においては、天板１０の裏面にフラップ部材１３を設け、後板５に係合溝５ｂを形成したが、天板１０の裏面に係合溝５ｂを形成し、フラップ部材１３を後板５に対して回動可能に設けるようにしてもよい。
【００３５】
また、前記実施例１においては、抑制部１９を設けたが、この抑制部１９を設けなくてもよい。
【符号の説明】
【００３６】
１  デスク
２  脚部材
７  上板
１０  天板
１３  フラップ部材
１９抑制部
２２保持部
【図１】
2015231488.tif 000003
【図２】
2015231488.tif 000004
【図３】
2015231488.tif 000005
【図４】
2015231488.tif 000006
【図５】
2015231488.tif 000007
【図６】
2015231488.tif 000008
【図７】
2015231488.tif 000009
【図８】
2015231488.tif 000010
【図９】
2015231488.tif 000011
【図１０】
2015231488.tif 000012
【図１１】
2015231488.tif 000013
【図１２】
2015231488.tif 000014
【図１３】
2015231488.tif 000015
【図１４】
2015231488.tif 000016
【図１５】
2015231488.tif 000017
【図１６】
2015231488.tif 000018
【図１７】
2015231488.tif 000019